(57)【特許請求の範囲】
【請求項１】
水性薬剤を含有し、一葉ずつ取出し可能に折り畳まれて水不透過性の包装袋体に収容されている包装ウエットティッシュであって、
該包装ウエットティッシュは、熱融着性バインダーを用い繊維が結合された織布、不織布または紙と水性薬剤とからなり、該乾燥したティッシュの乾燥物の目付が４０ｇ／ｍ２以下であり、該乾燥したティッシュについてハンドルオメータ法で測定した乾燥状態におけるソフトネスが１５ｇを超え２５ｇ未満であり、該ティッシュにはヘリンボン模様が形成されており、そして、該包装ウエットティッシュは、乾燥ティッシュ１００重量部に対して１９０〜２５０重量部の水性薬剤を含有すると共に、取出されるウエットティッシュの葉の少なくとも終端部分と次に取出されるウエットティッシュの葉の少なくとも先端部分とが重なるように折り畳まれて可撓性包装袋体に密封状態で収容されていることを特徴とする包装ウエットティッシュ。
【請求項２】
上記取出されるウエットティッシュの終端部分と次に取出されるウエットティッシュの先端部分との重ね合わせ部分が、ウエットティッシュの各葉の面積の５〜２５％の範囲内にあることを特徴とする請求項第１項記載の包装ウエットティッシュ。
【請求項３】
上記熱溶融性バインダーの融点が１００〜１８０℃の範囲内にあることを特徴とする請求項第１項記載の包装ウエットティッシュ。
【請求項４】
上記熱溶融性バインダーがポリオレフィン系樹脂からなることを特徴とする請求項第３項記載の包装ウエットティッシュ。
【請求項５】
上記ウエットティッシュを形成する不織布のバインダーが、融点が１００〜１６０℃の範囲内にあるポリオレフィン系バインダーであり、該ポリオレフィン系バインダーが、実質的に水に不溶性であることを特徴とする請求項３項または第４項記載の包装ウエットティッシュ。
【請求項６】
上記ヘリンボン模様を構成する凸条の幅Ｌが０．５〜１．５ｍｍの範囲内にあることを特徴とする請求項第１項記載の包装ウエットティッシュ。
【請求項７】
上記ウエットティッシュが、水または水性薬剤と長期間接触しても、その形態が維持されるものであることを特徴とする請求項第１項記載の包装ウエットティッシュ。
【請求項８】
上記包装ウエットティッシュの包装袋体に、内包されているウエットティッシュを使用時に取出し可能にするスリット状開口形成予定部が形成されており、該スリット状開口予定部は、包装袋体にスリット状開口部形状に形成された破断線と、該スリット状開口部形状に形成された破断線を覆うように接着されたシール部材とからなり、該シール部材を剥離、または、剥離撤去することにより、該包装袋体に形成された破断線からスリット状開口形成予定部に対応する部分の包装袋体部分がシール部材に貼着して除去されスリット状開口部を形成することを特徴とする請求項第１項記載の包装ウエットティッシュ。
【請求項９】
上記シール部材を包装袋体に貼着している接着剤が再付着可能な粘着性を有する接着剤であるか、または、一旦剥離撤去された後は有効な接着性を有しない接着剤であることを特徴とする請求項第８項記載の包装ウエットティッシュ。
【請求項１０】
上記包装ウエットティッシュが、ウエットティッシュを取出すと共に該取出されたウエットティッシュの次の葉を保持する抵抗壁が形成された取出し口と、該取出し口を密封すると共にウエットティッシュを取出す際に開口可能に形成された蓋体とを上面に有すると共に、内部に水不透過性の可撓性袋体に収容された包装ウエットティッシュを可撓性包装袋体ごと収容可能に形成された包装ウエットティッシュ収納容器に収納されて使用されるものであることを特徴とする請求項第１項記載の包装ウエットティッシュ。
【発明の詳細な説明】
【０００１】
【発明の技術分野】
本発明は、一葉ずつ引き出し使用することができる包装ウエットティッシュに関する。さらに詳しくは本発明は、可撓性の包装袋体ごと収納容器に入れてウエットティッシュを引き出して使用する際に、一葉ずつ確実に取出し可能な包装ウエットティッシュに関する。
【０００２】
【発明の技術的背景】
耐水性の不織布に水性薬剤を含浸させたウエットティッシュは、近時、身体の清拭布などとして広汎に使用されており、特に育児、介護などにおけるその使用頻度は非常に高くなっている。
従来、ウエットティッシュは、不織布に破断線を入れた不織布を筒状に巻回し、この巻回された不織布を筒状の容器に収納し、この容器の上部に設けられた取出し孔から引き出し、破断点部分で切断しながら使用されていた。しかしながら、このような容器に収納されたウエットティッシュは、引き出し抵抗が大きく、片手で容器を固定しながら、もう一方の手でウエットティッシュを引き出さなければならず、非常に使用しにくいという問題があった。
【０００３】
こうした点を改良したウエットティッシュとして、ポップアップ式のウエットティッシュがあり、従来の筒型のウエットティッシュに代わって最近ではこのポップアップ式のウエットティッシュを使用することが多くなってきている。このポップアップ式のウエットティッシュでは、予め一葉ごとに裁断された不織布を、それぞれの葉の端部が重なり合うように折り畳まれた状態で可撓性袋に収納されており、このように折り畳まれたウエットティッシュを収納箱に入れ、この収納箱に上面に形成された抵抗壁付きの取出し口からウエットティッシュを一葉、一葉分離した状態で引き出し可能に形成されている。したがって、このようなポップアップ式のウエットティッシュでは、ウエットティッシュを片手で引き出すことにより、各葉を独立して取出すことができると共に、次の葉が収納容器の取出し口の抵抗壁に保持された状態になることが望ましい。ところが、実際にウエットティッシュを取出してみると、取出そうとするウエットティッシュの葉に次の葉が張り付いて２葉以上のウエットティッシュがズルズルと引き出されることがある。このようにウエットティッシュの取出しの際に各葉が分離せずに、連続して引出される現象は、一般に「ズル」と呼ばれている。
【０００４】
ウエットティッシュを使用する際には、多くの場合、一方の手で幼児あるいは被介護者などを支えた状態など一方の手が自由に使えないことが多く、上記のように取出そうとする一葉のウエットティッシュに次の葉が同伴して引き出されてしまうと、これらを分離して使用することが困難である。
このようなウエットティッシュを取出す際の次の葉の同伴（所謂「ズル」）は、ウエットティッシュを取出す際に必ず生ずるという問題ではなく、何十枚あるいは何百枚のウエットティッシュを引き出したときに一定の低い確率で発生する問題であり、このようなウエットティッシュの同伴がどのような原因によって発生するのか、その明確な原因は必ずしも明確ではない。
【０００５】
また、これとは逆に次の葉のウエットティッシュが、取出そうとするウエットティッシュに同伴されず、抵抗壁に保持される前に包装袋内に落ちてしまうことがあり、このような場合には、収容箱を開けて最上部にあるウエットティッシュの葉を取出し口に挿入して抵抗壁に保持させる必要がある。このようなウエットティッシュの抜け落ちも一定の低い確率で発生する問題であり、これらの発生原因は必ずしも明確ではない。
【０００６】
このような状況から、ウエットティッシュの同伴および抜け落ちが抵抗壁の問題であるとする考え方と、ティッシュの有する特性の問題であるとする考え方があり、これらの観点から種々の提案がなされている。
たとえば、本発明者は、このようなウエットティッシュの同伴は、抵抗壁の構造に起因するものであるとの考えから、ウエットティッシュの同伴（所謂「ズル」）の少ない抵抗壁を有するの構造に関して既に出願している（特願２０００−３６５４４８号明細書参照）。このように抵抗壁の構造を変えることにより、ウエットティッシュの同伴の頻度は低下するが、これらを完全に防止できるには到っていない。
【０００７】
また、ウエットティッシュの同伴あるいは抜け落ちが、ティッシュの表面性にあるとの認識に基づいて、特表２０００−５０９３１５号公報には、「基体と液体組成物とを具備し、前記基体は中央パネルと２つの対向するエンドパネル―ディングエッジパネル及びトレーリングエッジパネル―とを有し、前記パネルのそれぞれは第１の表面と第２の表面とを有し、前記パネルの少なくとも１つの表面の少なくとも一部が１以下の動摩擦係数或いは１．０５以下の静摩擦係数のいずれかを有することを特徴とするウエットワイプ。」の発明が開示されている。
【０００８】
上記のようにこの公報に開示されている発明は、ウエットワイプ（ウエットティッシュ）の表裏面の摩擦係数がウエットティッシュの同伴および抜け落ちに大きく関与しており、この摩擦係数を特定の値にすることにより上記同伴および抜け落ちを防止しようとするものである。
そして、上記公報には、ウエットワイプのエッジ表面の摩擦係数によって、折り重ねられ且つ積み重ねられた場合にワイプの分配性が改良されると記載されている。
【０００９】
このようにティッシュ（ワイプ）が重なり合う部分の摩擦係数をたとえばエンボス加工などを施すことによって調整すれば、ウエットティッシュの取出し時における次のティッシュの同伴、抜け落ちは、従来のウエットティッシュよりも改善されるが、このように摩擦係数だけでは、その改善効果は必ずしも充分ではない。
【００１０】
たとえば、取出そうとするウエットティッシュの葉と、次の葉とは、重なり合ったワイプエッジの摩擦係数だけでなく、この重なり合った部分に存在する薬液の表面張力などによっても変化する。すなわち、２枚のウエットティッシュの間に水などの液体が存在すると、この水などの液体の表面張力によって２枚のウエットティッシュは張り付いた状態になり、このような状態のウエットティッシュを引き剥がすのには相当の力が必要である。特に、ウエットティッシュの表面にエンボス加工などにより凹凸が形成されている場合、２枚のティッシュ間に存在する液体の量が多くなり、二枚のウエットティッシュを引き剥がしにくくなる。他方、液体の量が少ないと液体の表面張力は２枚のウエットティッシュを係合力としてはほとんど機能せず、ウエットティッシュの表面状態が支配的になる。
【００１１】
このようにポップアップ式のウエットティッシュにおいては、ウエットティッシュの取出し時における次の葉の同伴などは、単一のファクターによって調整できるものではなく、多数のファクターが相互に影響を及ぼしあうことによって奏されるものであり、ウエットティッシュに係わる多数の要因をそれの相互の関係から特定する必要があることがわかった。
【００１２】
【発明の目的】
本発明は、開口部に抵抗壁が形成された収容箱からウエットティッシュを一枚ずつ（一葉ずつ）確実に取り出すことができる包装ウエットティッシュを提供することを目的としている。
特に本発明は、取出そうとするウエットティッシュに次に取出される予定のウエットティッシュの葉が同伴して引き出されてしまうことなく、確実に抵抗壁に保持することができるウエットティッシュを水不透過性で可撓性袋体に収容してなる包装ウエットティッシュを提供することを目的としている。
【００１３】
【発明の概要】
本発明の包装ウエットティッシュは、水性薬剤を含有し、一葉ずつ取出し可能に折り畳まれて水不透過性の包装袋体に収容されている包装ウエットティッシュであって、
該包装ウエットティッシュは、熱融着性バインダーを用い繊維が結合された織布、不織布または紙と水性薬剤とからなり、該乾燥したティッシュの乾燥物の目付が４０ｇ／ｍ２以下であり、該乾燥したティッシュについてハンドルオメータ法で測定した乾燥状態におけるソフトネスが１５ｇを超え２５ｇ未満であり、該ティッシュにはヘリンボン模様が形成されており、そして、該包装ウエットティッシュは、乾燥ティッシュ１００重量部に対して１９０〜２５０重量部の水性薬剤を含有すると共に、取出されるウエットティッシュの葉の少なくとも終端部分と次に取出されるウエットティッシュの葉の少なくとも先端部分とが重なるように折り畳まれて可撓性包装袋体に密封状態で収容されていることを特徴としている。
【００１４】
すなわち、本発明ではウエットティッシュを形成する不織布のうち、乾燥したティッシュの目付けが４０ｇ／ｍ２以下である不織布を使用する。しかし単に上記のような目付けを有するティッシュを使用しただけでは本発明の目的を達成することができず、本発明ではさらにこの乾燥ティッシュについて特定の方法で測定した測定したティッシュのソフトネスが１５ｇを超え２５ｇ未満であることが必要である。そして、この乾燥ティッシュには、ヘリンボン模様が形成されており、この乾燥ティッシュは、不織布などを形成する際に用いるバインダーとしてポリオレフィン系樹脂などからなる熱溶融性バインダーを使用することが好ましい。
【００１５】
さらに、こうしたティッシュ１００重量部に対して１９０〜２５０重量部の水性薬剤を配合し、これを前の葉のウエットティッシュの終端部近傍と次の葉のウエットティッシュの先端部近傍とが重なり合うように折り畳んで水不透過性で可撓性を有する袋体に収容して使用する。
上記詳述のように、目付け、ソフトネス、バインダーの種類、ティッシュに形成される模様などを形成したポップアップ式ウエットティッシュとして好適なものを使用するとともに、ここに配合される水性薬剤の量もティッシュ１００重量部に対して１９０〜２５０重量部の範囲内に設定する。
【００１６】
このようなティッシュとして、特定のものを使用し、さらに、このような特定のティッシュに特定量の水性薬剤を配合することにより、これらの要素が共同してウエットティッシュが独立して取出される確立が非常に高くなり、いわゆる一葉のウエットティッシュを引き出したときに、次のウエットティッシュが引き出されたウエットティッシュに同伴して引き出される所謂「ズル」の発生確率が  従来のポップアップ式のウエットティッシュにおける発生率よりも著しく低くなる。
【００１７】
【発明の具体的な説明】
次に本発明の包装ウエットティッシュについて具体的に説明する。
図１は本発明の包装ウエットティッシュを包装ウエットティッシュ収納容器に収納した状態を示す組み立て斜視図である。
図２は、折り畳まれて重ねられたウエットティッシュの状態を模式的に示す斜視図である。
【００１８】
図３は、ウエットティッシュに形成されるヘリンボン模様を模式的に示す図である。
図４は、図１に示すような包装ウエットティッシュ収納容器の抵抗壁の構成の例を模式的に示す図であり、図４（ａ）は抵抗壁の平面図、（ｂ）は、図４（ａ）におけるＡ−Ａ断面図、（ｃ）は、図４（ａ）におけるＢ−Ｂ断面図である。
【００１９】
図５は、図４に示すような抵抗壁を通ってウエットティッシュが取出される状態の例を模式的に示す図である。
図６は、図４におけるＣ−Ｃ断面図である。
図７は、包装ウエットティッシュ収納容器の他の態様を示す図である。
図８は、本発明の乾燥ティッシュのソフトネス（柔軟性）を測定するために使用されるハンドルオメータ法（Ｅ法）について説明する図である。
【００２０】
本発明の包装ウエットティッシュは、、折り畳まれて端部が重ね合わされた複数葉のウエットティッシュと水性薬剤とが水不透過性でかつ可撓性を有する包装袋体に収容されてなる。
図１には、本発明の包装ウエットティッシュ１０を収納容器に収納して使用する態様が示されている。すなわち、本発明の包装ウエットティッシュは、図２に示されるように水性液剤を含有すると共に一葉一葉が独立して折り畳まれた複数のウエットティッシュ１４が、水不透過性で可撓性素材から形成された包装袋体１２に密封収容されて本発明の包装ウエットティッシュ１０を構成している状態が示されている。この包装ウエットティッシュ１０は、通常は、ウエットティッシュを取出すための開口部１５が形成可能にされており、包装ウエットティッシュを包装袋体１０ごと収容可能な包装ウエットティッシュ収納容器３０，３１に収納されて使用される。この収納容器３０，３１は、底部３１と、この底部の周縁分に形成された凹状溝に下端縁部が嵌合するように形成されたドーム型容器上部３０とからなる。さらにこのドーム型容器３０上部の上面にはウエットティッシュを取り出すための取出し口２０が設けられている。この取出し口２０には、引き出されたウエットティッシュ１４を包装袋体１２内に引き込まれないように保持すると共に、取出されるウエットティッシュ１４が、次に引き出されるウエットティッシュを同伴して引出されないように分離する抵抗を与える抵抗壁２２，２３が形成されている。抵抗壁２２、２３は、取出し口２０に複数のスリット２４ａ，２４ｂおよび２８ａ，２８ｂを形成することにより抵抗壁２２，２３を区画するように形成されている。この抵抗壁２２，２３は複数のスリット２４ａ，２４ｂおよび２８ａ，２８ｂにより、基端部が固定され、先端部が自由端２５になった４枚の舌片２２ａ，２２ｂ，２３ａ，２３ｂとからなり、自由端２５は、最初のウエットティッシュを指で摘み出し可能なように切り欠かれて指挿入部２６を形成している。この舌片２２ａ，２２ｂ，２３ａ，２３ｂは、ウエットティッシュの取出しに伴って変形可能な可撓性を有している。
【００２１】
また、収納容器の取出し口２０は、使用時には開口し、使用しないときにはこの包装ウエットティッシュ収納容器３０、３１を密閉状態に保つように閉口するように開閉自在に形成された蓋体３２を有している。この蓋体３２は、通常は、ウエットティッシュを取出そうとする際にワンタッチで開閉可能なように、バネ体などの弾性部材３３によって開口方向に賦勢されており、閉口時には、蓋体３２に張り出して形成された係止片３４が開口ボタン３５に係止されており、開口時には、開口ボタン３５を押すことにより跳ね上がって取出し口２０が露出するように形成されている。
【００２２】
取出し口２０に形成されている抵抗壁２２，２３は、ウエットティッシュ１４が包装袋体内に引き込まれることなく、次に取出されるまでの間確実にウエットティッシュを保持していると共に、取出されるウエットティッシュの葉に同伴して抵抗壁にまで引き出された次の葉のウエットティッシュが取出された前の葉のウエットティッシュから確実に分離するよう抵抗を与える。したがって、この抵抗壁２２，２３からウエットティッシュにかかる抵抗が大きすぎると、同伴される次の葉のウエットティッシュは、その先端部がこの抵抗壁２２，２３を通過することができず、次の葉のウエットティッシュが包装袋体内に落ち込んでしまう。他方、この抵抗壁２２，２３からウエットティッシュにかかる抵抗が小さすぎると、取出そうとするウエットティッシュの葉の終端部近傍に張り付いたまま引出され、次の葉のウエットティッシュから分離することができにくくなる。すなわち、一葉のウエットティッシュを取出そうとするのに、この一葉のウエットティッシュの終端部近傍に次のウエットティッシュの先端部近傍が張り付いた状態で引き出されてしまう。
【００２３】
しかしながら、ポップアップ式のウエットティッシュにおいては、取出そうとするウエットティッシュに、次の葉のウエットティッシュを張り付かせて抵抗壁まで引出され抵抗壁に保持させて、次いでウエットティッシュを分離して取出し可能にしているために、重なり合ったウエットティッシュがある程度の力で相互に張り付いていることが必要である。所謂「ズル」の発生を完全に防止するには、抵抗壁によって付与される抵抗とウエットティッシュが相互に張り付く力との均衡を取る必要があり、ポップアップ式のウエットティッシュにおいて最も難しい課題である。このような「ズル」の発生防止に関しては、抵抗壁２２，２３の形状などを変えることによってある程度は低減できることは既に知られており、本発明者も「ズル」の発生しにくい抵抗壁の構成について既に多数の提案を行っている。この出願では、より「ズル」の発生しにくい抵抗壁２２，２３の構成として、従来の押さえ片などを形成するという二次元的な抵抗壁の構造から一歩すすんで、図４に示すように、抵抗壁におけるウエットティッシュとの接触がもっとも多い抵抗壁のウエットティッシュが通過する部分の舌片状に形成された自由端２５を三次元的に形成している。すなわち、舌片状に形成された自由端２５近傍に、収納容器の内側に向かって突出した突出部２７ａ，２７ｂ，２７ｃ，２７ｄを形成してこの取出し部を三次元的に構成することによって、図５および図６に示すように、この下方に延設された突出部２７ａ，２７ｂ，２７ｃ，２７ｄがウエットティッシュを引き出す際に自由端２５が上方向に湾曲して変形することに伴ってより強い力でウエットティッシュＰ１に接触する。このような構成することにより、引き出しの際にウエットティッシュに係る抵抗を選択的に大きくすることができる。さらに、これらの突出部２７ａ，２７ｂ，２７ｃ，２７ｄによってウエットティッシュが中央部に設けられたスリット２４ａ，２４ｂに案内されて、このスリット２４ａ，２４ｂによって保持されることから、「ズル」の発生は著しく減少するが、このような取出し口２０の構造だけでは、依然として、極めて低い確率ではあるが「ズル」が発生する。このような「ズル」の発生は、抵抗壁２０の形態の改良によっては防止しようのないほど低い確率であり、「ズル」の発生をさらに低減するためには、ウエットティッシュ自体を改良する必要がある。しかしながら、ウエットティッシュ自体は、直接身体に使用するものであり、その使用感が非常に重要になる。現在使用されているウエットティッシュは非常に良好な使用感を有しており、非常に低い確率で発生する「ズル」の発生率をさらに低減するために、ウエットティッシュの良好な使用感を犠牲にすることができない。
【００２４】
本発明においては、こうした状況を踏まえつつ、ウエットティッシュの良好な使用感を損なうことなく、ウエットティッシュの取出しの際の「ズル」の発生率をさらに低下させるために、ウエットティッシュ自体の見直しを行った。
その結果、ウエットティッシュの有する特性を好適な範囲内に設定することにより、従来からウエットティッシュが有している優れた使用感を損なうことなく、取出されるウエットティッシュに次の葉のウエットティッシュが同伴して引き出されてしまう確率（即ち、「ズル」が発生する確率）をより低くすることができるとの知見を得た。
【００２５】
すなわち、本発明の包装ウエットティッシュは、
ティッシュの乾燥物の目付および乾燥ティッシュのソフトネスを調整し、ティッシュを構成するバインダーとして特定のバインダーを使用し、さらに特定の模様を形成したティッシュに、添加される水性薬剤の量を従来のウエットティッシュよりも若干少なくすることにより、ウエットティッシュにおける「ズル」の発生確率を著しく低下させることができるのである。
【００２６】
本発明のウエットティッシュは、通常は織布、不織布あるいは紙とこれに含浸された水性薬剤から形成されているが、このティッシュの乾燥物（不織布など）の目付けが、４０ｇ／ｍ２以下、好ましくは３０〜４０ｇ／ｍ２の範囲内、特に好ましくは３３〜３８ｇ／ｍ２の範囲内にある。目付け４０ｇ／ｍ２を超える不織布などを用いた場合には、「ズル」が発生する確率を低減する効果が現れにくい。
【００２７】
さらに、本発明では、乾燥したティッシュである不織布などについて、ハンドルオメータ法（Ｅ法）より測定した乾燥不織布のソフトネスが１５ｇを超え２５ｇ未満であることが必要であり、１６〜２４ｇの範囲内にあることが好ましく、１７〜２３ｇの範囲内にあることが特に好ましい。上記方法により測定した乾燥不織布のソフトネスが上記範囲内にあることにより、本発明の包装ウエットティッシュにおける「ズル」の発生をより効果的に防止することができる。また、ウエットティッシュの使用感が従来のものと相違しない。
【００２８】
ここで使用されるハンドルオメータ法（Ｅ法）で使用される測定装置を図８に示す。ハンドルオメータ法（Ｅ法）は、調製された試料から、２０ｃｍ×２０ｃｍの試験片を３枚採取し、図８に示す試験台の上に測定方向がスロット（幅２０ｍｍ）と直角になるように置き、次に試料台表面から８ｍｍまで下がるように調節したベネトレータのブレードを降下させ、試験片を押圧したときに、ブレードが８ｍｍ降下するのに要した重量である。この試験は、いずれか一方の辺から６．７ｃｍ（試験幅の１／３）の位置の縦方向および横方向で測定し、さらに表面、裏面の異なる位置で測定する。こうして得られた最高値（重さ（ｇ））を読み取り、３枚の試料の平均値を算定する。なお本発明で求めた値は、試験片として２０ｃｍ×２０ｃｍを使用し、スリット幅を２０ｍｍとして測定を行った値である。
【００２９】
このような乾燥ティッシュは、例えば不織布の場合、無秩序に配列された繊維の交絡部分をバインダーで接合することにより形成されているが、本発明ではこのバインダーとして熱溶融性バインダーを使用する。本発明では、このバインダーとして、比較的融点の低い熱溶融性バインダーを使用することが好ましい。このような比較的融点の低い熱溶融性バインダーとして例えば融点が１００〜１８０℃に範囲にあるバインダーを挙げることができ、特に本発明で好適に使用されるバインダーの例としてはポリオレフィン系熱溶融性バインダーを挙げることができる。このポリオレフィン系熱溶融性バインダーの融点は通常は１００〜１６０℃、好ましくは１２０〜１５０℃の範囲内にある。ポリエチレン・ポリプロピレン系熱溶融性バインダーは、通常は１００〜１６０℃の範囲内、好ましくは１２０〜１５０℃の範囲内に融点を有しており、このような融点を有するポリオレフィン系熱溶融性バインダーを用いることにより、上記のようにして測定した不織布のソフトネスを上記好適な範囲に設定しやすくなる。
【００３０】
ポリオレフィン系熱溶融性バインダーとしてＰＰ（ポリプロピレン）／ＰＥ（ポリエチレン系バインダーを使用する場合、両者の配合重量比（ＰＰ／ＰＥ）は、通常は１：１の重量比で使用される。
さらに、本発明の包装ウエットティッシュを形成する不織布には、ヘリンボン（ｈｅｒｒｉｎｇｂｏｎｅ）模様が形成されている。このヘリンボン模様は、具体的には図３に示すような杉綾織模様であり、本発明においては、例えば、不織布を製造する際に不織布を受けるために使用する受け用金網にヘリンボン模様が形成された受け金網を用いることにより形成することができる。本発明において、ヘリンボン模様を構成する凸条の幅Ｌを、好ましくは０．５〜１．５ｍｍの範囲内、特に好ましくは０．８〜１．２ｍｍの範囲内に設定してヘリンボン模様を形成することにより、本発明の包装ウエットティッシュにおける「ズル」の発生防止効果がより顕著に現れる。すなわち、このような幅Ｌの凸条が形成されたヘリンボン模様を形成することにより、重なりあったウエットティッシュにおける接触面積が小さくなり、取出されようとする葉と、この葉に同伴して引き出される葉との接合力を、「ズル」が発生せず、しかも収納容器の抵抗壁に確実に保持されるまでは、両者の接合状態が維持できる程度に高くなる。また、このようにヘリンボン模様を形成することにより、不織布が嵩高になる傾向がある。すなわち、本発明の包装ウエットティッシュを構成する不織布は、４０ｇ／ｍ２以下の目付けを有しているが、その触感は、目付けに換算するとおおよそ実際の目付けよりも１．１倍以上の目付けを有する不織布と同等の触感を有するようになる。
【００３１】
このようなティッシュ（不織布など）を１５〜２０ｃｍ×１５〜２０ｃｍの略正方形に裁断し、図２（ａ）に示すようにこの裁断された不織布を二つ折りまたは図２（ｂ）に示すようにＺ折りにして、前の葉の不織布の終端部近傍と次の葉の先端部近傍とが重なり合うように積み重ねる。図２（ａ），（ｂ）には、二つ折りまたはＺ折りにした不織布が模式的に示されているが、本発明はこうした折り方に限定されるものではない。本発明において、「ズル」の発生防止は、上記のような不織布の折り方よりも、むしろ、前の葉の終端部近傍と次の葉の先端部近傍とが重なりあって積み重ねられた態様において、前の葉と次の葉との重なり合わされた部分の面積によるところが大きい。特に本発明では、ウエットティッシュの全体の面積に対して通常は５〜２５％、好ましくは１０〜２０％の範囲内で次のウエットティッシュと重ね合わせることにより「ズル」の発生率を低減できる。このように前の葉と次の葉とを重ね合わせることにより、両者の接合強度が「ズル」が発生せず、しかも収納容器の抵抗壁に次の葉の先端が確実に保持されるまで両者の接合状態が解除されない程度に両者の間に接合力を発現させることができる。前の葉の終端部近傍と次の葉の先端部近傍とが上記のような面積割合で接合しているので、これを一葉の不織布について見ると、全体の面積の１０〜５０％が他の葉の不織布と重なり合っていることになる。
【００３２】
このように重なり合わされて折り畳まれたティッシュ（不織布）に、ウエットティッシュの自重１００重量部に対して、１９０〜２５０重量部、好ましくは２００〜２２０重量部の水性薬剤を含浸させることにより、ウエットティッシュとなる。この水性薬剤の量も本発明の包装ウエットティッシュに「ズル」の発生を低減する上で非常に重要な要素となる。すなわち、水性薬剤は不織布に含浸され、重なり合った２葉のウエットティッシュの接合力はウエットティッシュに含有される水性薬剤の表面張力によるところが大きい。したがって、この水性薬剤の量が上記範囲を逸脱して多いと折り重ねられた葉の接合力が必要以上に高くなり、「ズル」が発生し易くなる。他方、上記範囲を逸脱して少ないと折り重ねられた葉の接合力が不足して取出される葉に同伴して引き出される葉が収納容器の抵抗壁に保持される前に落下してしまう。
【００３３】
ここで使用される水性薬剤としては、水を主成分とし、保湿剤、香料、殺菌剤、界面活性剤、多価アルコール、低級アルコール、抗ヒスタミン剤、防菌防黴剤、ｐＨ調製剤、収攣剤等を配合した水性溶液が使用される。ただし、本発明の包装ウエットティッシュには、皮膚に直接使用するものもあり、このような皮膚に直接使用する用途に使用されるウエットティッシュの水性薬剤には皮膚に対する刺激性を有する成分を配合しないことが望ましい。例えば、粘膜に接触する虞のあるウエットティッシュには、アルコールのような刺激性成分を配合しないことが望ましい。他方、殺菌、消毒などを目的とするウエットティッシュには、殺菌成分となり得る低級アルコール、防菌防黴剤などの配合量を多くすることが望ましい。
【００３４】
端部が前後の不織布などの端部と重なり合うようにして折り畳まれて重ねられた不織布（ティッシュ）と上記のような水性薬剤とからなるウエットティッシュは、水不透過性であって、かつ可撓性を有する包装袋体に収容されている。
この包装袋体１４は、ポリオレフィン、ポリエステル、ポリアミドなどのようなポリマーフィルム、金属蒸着ポリマーフィルム、金属箔が積層された積層フィルムなどで形成されており、内部に収容されているウエットティッシュ中の水性薬剤が蒸散しないように、水分を透過しないという特性を有している。したがって、この包装袋体を形成するフィルムは、水不透過性の単一の素材で形成されていてもよいし、複数の素材の複合体、例えば複数の素材からなる層が少なくとも２層積層された積層体であってもよい。このような包装袋体を形成するフィルムの厚さは、通常は５０〜１００μｍ、好ましくは５０〜８０μｍの範囲内にある。また、この包装袋体は、可撓性を有するフィルムで形成されていることが好ましい。すなわち、本発明の包装ウエットティッシュは、包装袋体のまま、包装ウエットティッシュ収納容器に収納されて使用されることから、この収納容器に収納しやすいように可撓性を有していることが好ましい。上述した厚さを有する上記例示したフィルムから形成された包装袋体は、通常の本発明で必要な可撓性を有している。また、この包装袋体は、ヒートシールにより容易に形成することができることから、包装袋の内面側にはヒートシール層を配置する事が好ましい。
【００３５】
このような包装袋体には、内包されるウエットティッシュを取出すための開口部が形成可能にされている。すなわち、図１、図５、図６に示すように、本発明の包装ウエットティッシュを使用する際には、上面部に形成された開口部１５から最初の一葉のウエットティッシュ１４を引出して、収納容器に形成された抵抗壁２２，２３に保持すると共にこの収納容器内に包装ウエットティッシュを収容して使用するので、この包装袋体には開口部１５が必要になる。しかしながら、この包装ウエットティッシュを使用する前、すなわち、保存、移送などの際には包装ウエットティッシュに上記のような開口部１５は必要ではなく、むしろウエットティッシュを構成する水性薬剤が蒸散せず、また、外部からの雑菌などの侵入を防止するためにも包装ウエットティッシュは密封されていることが望ましい。
【００３６】
このために包装袋体に形成される開口部は、使用前には完全に封鎖されており、使用時にウエットティッシュを取出し可能な開口部を形成可能にされていることが望ましい。本発明では、包装袋体の上面の開口部形成予定部に破断線を形成し、この破断線によって型取られた開口部形成予定部を覆うようにシール部材１７を接着剤で貼着する。このようにして貼着されたシール部材を剥離すると包装袋体１２に破断線で形成された開口部形成予定部の包装袋除去片１８は、破断線から破断してシール部材１７に転写して剥離され、包装袋体に開口部１５が形成される。なお、ここでシール部材１７の接着に使用される接着剤は、この包装ウエットティッシュを収納容器３０，３１あるいは図７に示されるような収納容器４１，４２に収納して使用する場合には、使用に際してこのシール部材１７は剥離撤去されることから、再付着性を有している必要ない。一方、この包装ウエットティッシュ１２を収納容器に収容しないで用いる場合、例えば携帯用の包装ウエットティッシュのような場合には、このシール部材１８を蓋体として使用できるようにこのシール部材１７を接着する接着剤として再付着性を有している粘着性の接着剤を使用することができる。
【００３７】
そして、シール部材を包装袋体から撤去することにより、包装袋体１２に所望の形状の開口部１５を形成することができる。ここで包装袋体１２に形成する開口部１５の形状は、内包されるウエットティッシュを取出し可能な形状であれば特に制限はないが、内包されているウエットティッシュの紙幅の７０％以下、好ましくは２０〜６０％の長さを有すると共に、最初のウエットティッシュを摘み出し可能な幅、好ましくは０．１ｍｍ〜７０ｍｍ、特に好ましくは５ｍｍ〜５０ｍｍの幅を有する。このような長さおよび幅の開口部（スリット）１５からウエットティッシュを引出すことにより、この包装袋体に形成された開口部（スリット）１５自体も取出されるウエットティッシュに対して抵抗壁ともなり得、引出されたウエットティッシュが包装袋体内に落ち込み戻るのを防止できると共に、収納容器の設けられた抵抗壁に保持されているウエットティッシュが、この抵抗壁から抜け落ちるのを防止するとの効果が発現する。また、このような幅及び長さを有するスリット１５は、引出されたウエットティッシュによってこのスリット（開口部）１５がほぼ満たされているので、開封後このスリット（開口部）１５からの雑菌の侵入およびウエットティッシュに含浸されている水性薬剤の蒸散を有効に防止することができるとの効果も有する。
【００３８】
また、本発明の包装ウエットティッシュ１０は、図１に示すような形態の収納容器に入れて使用するが、この収納容器は、図７に示すように上部が解放された箱状容器４１とこの解放された上部を密封する密閉蓋４２と有し、密閉蓋４２に取出し口２０およびこの取出し口２０を密閉すると共に開閉自在に設けられた蓋体３２からなる収納容器であってもよい。なお、図７に示す収納容器の細部は図１、図３、図４と略同様である。また、抵抗壁２２．２３の形態は、突出片２７ａ，２７ｂ，２７ｃ，２７ｄを有するものが好適である。特に本発明では上記例示して示した抵抗壁の形態の他に特願２０００−３６５４４８号の明細書および図面に記載された形態の抵抗壁とすることにより「ズル」の発生確率をより低くすることが可能である。しかしながら、本発明では、ウエットティッシュを形成するティッシュ（識布、不織布、紙など）自体および水性薬剤の量によって「ズル」の発生を防止しているので、抵抗壁の形態に特に限定されるものではない。
【００３９】
本発明の包装ウエットティッシュは、幼児の清拭、被介護者の清拭などの身体の清拭に使用することができるほか、トイレ、水周りの掃除、ＯＡ機器のメンテナンス、化粧品の拭取りなど、種々の用途に使用することができる。
【００４０】
【発明の効果】
本発明の包装ウエットティッシュは、ティッシュの乾燥物の目付、ティッシュについてハンドルオメータ法で測定した乾燥状態におけるソフトネスを特定の範囲にすると共に、このティッシュにヘリンボン模様を形成し、さらにバインダーとして熱融着性バインダーを用いて形成された織布、不織布または紙からなり、乾燥ティッシュに対する水性薬剤の量を調整して、取出されるウエットティッシュの葉の終端部分と次に取出されるウエットティッシュの葉の少なくとも先端部分とが重なるように折り畳んで可撓性包装袋体に収容することにより、ウエットティッシュを取出す際に、この取出されるウエットティッシュと次の葉のウエットティッシュとが、例えば収納容器などに形成されている抵抗壁で確実に分離され、取出されるウエットティッシュに次の葉のウエットティッシュが張り付いて次々に引出される、所謂「ズル」の発生確率が著しく低減される。
【００４１】
また、本発明の包装ウエットティッシュは、上記のように所謂「ズル」の発生確率が著しく低くなるが、包装ウエットティッシュの収納容器の抵抗壁に次に取出されるウエットティッシュが確実に保持され、ウエットティッシュが包装袋内に引き戻されるといったことをほとんど発生しない。
【００４２】
【実施例】
次に本発明の実施例を示して本発明の包装ウエットティッシュについてさらに詳細に説明するが、本発明はこれらによって限定されるものではない。
【００４３】
【実施例１〜２、比較例１〜４】
表１に示すようにレーヨン繊維およびバインダーを用いて不織布を調製し、この不織布を１５×２０ｃｍに裁断した。この不織布９０枚をＺ折りにしてそれぞれの葉が前の葉と１３％重ね合わされるように積み重ねた。
こうして積み重ねた不織布と、この不織布１００重量部に対して所定量の水性薬剤とを、アルミ蒸着ＰＥＴとポリエチレンとの積層体（厚さ５２μｍ）である包装袋に収納し収納口をヒートシールして密閉した。この収納袋の上面には波線により長さ６ｃｍ、幅１．８ｍｍの開口形成予定部が形成されており、この開口形成予定部に、長さ１０．５ｃｍ、幅４．５ｍｍのシール部材をアクリル系接着剤（再付着性なし）で貼着して、包装袋体内にウエットティッシュを密閉状態で収納した。
【００４４】
この包装ウエットティッシュからシール部材を引き剥がすことにより袋体の開口系性予定部の包装袋がシール部材に貼着して取り除かれ開口部が形成された。この開口部が形成された包装ウエットティッシュを、図７に示すような収納容器に入れ、最初のウエットティッシュを抵抗壁を介して包装袋体から引出し、収納容器の抵抗壁に保持させた。なお、この収納容器におけるスリット２４ａ、２４ｂの合計の長さは５ｃｍであり、ウエットティッシュの幅の２１％に相当し、また、このスリット２４ａ、２４ｂの幅は２１ｍｍである。この２４ａ、２４ｂの中央部には、指を挿入してウエットティッシュを引出すために円形に形成されている。さらに、この収納容器における突出片２７ａ，２７ｂ，２７ｃ，２７ｄは、それぞれ長さが１．２４ｃｍであり、６ｍｍ下方に突出して形成されている。
【００４５】
こうして収納容器に納められたウエットティッシュを引き出し、２枚以上ウエットティッシュがつながって引き出される枚数を測定した。
上記のような引き出し試験を同一の構成のウエットティッシュについて５回づつ行い、ひとつの包装ウエットティッシュにおける「ズル」（つながって引出されるウエットティッシュ）の発生率を求めた。また、抵抗壁に保持されずに、包装袋内に引き戻されるウエットティッシュの発生率も求めた。さらに、それぞれのウエットティッシュの使用感を１５人のパネラーにより評価させた。これらの結果を表１に記載する。
【００４６】
【表１】
0003584226.tif 000002
【００４７】
＊１）ヘリンボン間隔；１２．５ｍｍ
＊２）ヘリンボン間隔；２５ｍｍ
＊３）ＰＰ／ＰＥ（重量）＝１／１、融点：１３０℃
＊４）ポリエステル系バインダー＝ＰＥＴ（ポリエチレンテレフタレート）／ＰＥ＝１／１、融点：１３０℃
【図面の簡単な説明】
【図１】図１は、本発明の包装ウエットティッシュを包装ウエットティッシュ収納容器に収納した状態を示す組み立て斜視図である。
【図２】図２は、折り畳まれて重ねられたウエットティッシュの状態を模式的に示す斜視図である。
【図３】図３は、ウエットティッシュに形成されるヘリンボン模様を模式的に示す図である。
【図４】図４は、図１に示すような包装ウエットティッシュ収納容器の抵抗壁の構成の例を模式的に示す図である。
【図５】図５は、図４に示すような抵抗壁を通ってウエットティッシュが取出される状態の例を模式的に示す図である。
【図６】図６は、図４におけるＣ−Ｃ断面図である。
【図７】図７は、包装ウエットティッシュ収納容器の他の態様を示す図である。
【図８】図８は、本発明の乾燥ティッシュのソフトネス（柔軟性）を測定するために使用されるハンドルオメータ法（Ｅ法）について説明する図である。
【符号の説明】
１０・・・包装ウエットティッシュ
１２・・・包装袋体
１４・・・ウエットティッシュ
１５・・・開口部（スリット）
１７・・・シール部材
１８・・・包装袋除去片
２０・・・取出し口
２２、２３・・・抵抗壁
２２ａ，２２ｂ，２３ａ，２３ｂ・・・舌片
２５・・・自由端
２６・・・指挿入部
２７ａ，２７ｂ，２７ｃ，２７ｄ・・・突出片
２４ａ，２４ｂ，２８ａ，２８ｂ・・・スリット
３０，３１・・・収納容器
３２・・・蓋体
３３・・・弾性部材
３４・・・係止片
３５・・・開口ボタン
４１・・・箱状容器
４２・・・密閉蓋
【図１】
0003584226.tif 000003
【図２】
0003584226.tif 000004
【図３】
0003584226.tif 000005
【図４】
0003584226.tif 000006
【図５】
0003584226.tif 000007
【図６】
0003584226.tif 000008
【図７】
0003584226.tif 000009
【図８】
0003584226.tif 000010